(57)【要約】【課題】近接して配置された２個のＬＥＤを点灯させたときに、それぞれのＬＥＤが発した光が混ざりにくい発光ダイオード表示装置を提供する。【解決手段】ＬＥＤ１とＬＥＤ２とは、略直方体の形状を有するレンズ３の長辺に対して相対するように対角に配設される。そして、ＬＥＤ１およびＬＥＤ２は、レンズ３における長辺の側面部分に対して発行した光が変わらないように発光する。レンズ３は、ＬＥＤ１およびＬＥＤ２が発した光を切り込み部３４〜３６と突出部３１〜３３とで反射する機能を有する。したがって、ＬＥＤ１およびＬＥＤ２が発した光は、レンズ３における３個の発光部３１〜３３に合わせて空けた表示部側筐体１０の穴部より発せられる。よって、ユーザは、表示部側筐体１０における穴部の表面側から、ＬＥＤ１およびＬＥＤ２の光を、光が混ざっていない状態で視認できる。【選択図】図３
2008124311.tif 000002
【特許請求の範囲】
【請求項１】
複数の発光ダイオードと、複数の発光ダイオードのそれぞれが発した光を導光する導光手段とを有し、発光面が前記導光手段に向けられ、かつ、発した光がそれぞれ交わらないように前記複数の発光ダイオードのそれぞれが配置され、前記導光手段の１つの面に複数の出射部が設けられている
ことを特徴とする発光ダイオード表示装置。
【請求項２】
複数の発光ダイオードのうちの第１の発光ダイオードおよび第２の発光ダイオードは、前記第１の発光ダイオードが導光手段に対して発した光の進行方向と前記第２の発光ダイオードが導光手段に対して発した光の進行方向とが反対になり、かつ、それぞれの発光ダイオードが発した光の中心軸が略平行となるように配置されている
請求項１記載の発光ダイオード表示装置。
【請求項３】
複数の発光ダイオードのうちの第１の発光ダイオードおよび第２の発光ダイオードは、
前記第１の発光ダイオードが導光手段に対して発した光の進行方向と前記第２の発光ダイオードが導光手段に対して発した光の進行方向とが同じになり、かつ、それぞれの発光ダイオードが発した光の中心軸が略平行となるように配置されている
請求項１記載の発光ダイオード表示装置。
【請求項４】
複数の発光ダイオードのうちの第１の発光ダイオードおよび第２の発光ダイオードは、
前記第１の発光ダイオードが導光手段に対して発した光の進行方向と前記第２の発光ダイオードが導光手段に対して発した光の進行方向とが反対になり、かつ、それぞれの発光ダイオードが発した光の中心軸と導光手段における光の入射面の垂直軸とは傾斜を有し、かつ、それぞれの発光ダイオードが発した光の中心軸が互いに交わらないように配置されている
請求項１から請求項３のうちのいずれか１項に記載の発光ダイオード表示装置。
【請求項５】
複数の発光ダイオードのうちの第１の発光ダイオードの発光を開始させてから所定時間経過後に第２の発光ダイオードの発光を開始させる制御を行い、第１の発光ダイオードの発光を停止させる制御を開始してから所定時間経過後に第２の発光ダイオードの発光を停止させる制御を開始する制御手段を備えた
請求項１から請求項４のうちのいずれか１項に記載の発光ダイオード表示装置。
【請求項６】
制御手段は、第１の発光ダイオードおよび第２の発光ダイオードを、発光を開始させるときに時間経過に伴って最大明度に向かって明度変化するように制御し、発光を停止させるときに最大明度から時間経過に伴って消灯時の明度に向かって明度変化するように制御する
請求項５記載の発光ダイオード表示装置。
【請求項７】
制御手段は、第１の発光ダイオードおよび第２の発光ダイオードを、発光を開始させるときに最大明度になるように制御し、発光を停止させるときに消灯時の明度になるように制御する
請求項５記載の発光ダイオード表示装置。
【請求項８】
複数の発光ダイオードと、複数の発光ダイオードのそれぞれが発した光を導光する導光手段とを有し、発光面が前記導光手段に向けられ、かつ、発した光がそれぞれ交わらないように前記複数の発光ダイオードのそれぞれが配置され、前記導光手段の１つの面に複数の出射部が設けられている発光ダイオード表示装置と、
前記複数の発光ダイオードのうちの第１の発光ダイオードの発光を開始させてから所定時間経過後に第２の発光ダイオードの発光を開始させる制御を行い、第１の発光ダイオードの発光を停止させる制御を開始してから所定時間経過後に第２の発光ダイオードの発光を停止させる制御を開始する制御手段とを備えた
ことを特徴とする携帯端末装置。
【請求項９】
制御手段は、第１の発光ダイオードおよび第２の発光ダイオードを、発光を開始させるときに時間経過に伴って最大明度に向かって明度変化するように制御し、発光を停止させるときに最大明度から時間経過に伴って消灯時の明度に向かって明度変化するように制御する
請求項８記載の携帯端末装置。
【請求項１０】
制御手段は、第１の発光ダイオードおよび第２の発光ダイオードを、発光を開始させるときに最大明度になるように制御し、発光を停止させるときに消灯時の明度になるように制御する
請求項８記載の携帯端末装置。
【発明の詳細な説明】
【技術分野】
【０００１】
本発明は、発光ダイオード表示装置および携帯端末装置に関する。
【背景技術】
【０００２】
携帯電話機において、装飾や報知のために発光ダイオード（以下、ＬＥＤという。）が用いられている。ＬＥＤは、携帯電話機の表示装置にも用いられている。
【０００３】
ＬＥＤを用いた表示装置は、照光品質が高いことが好ましい。例えば、液晶表示装置におけるバックライトについては、照光品質を高めるための構造がある（特許文献１参照）。  
【０００４】
【特許文献１】特開２００４−０７９４８８号公報（段落００２０、図１０）
【発明の開示】
【発明が解決しようとする課題】
【０００５】
しかし、従来のＬＥＤを用いた表示装置には、近接して配置された２個のＬＥＤをそれぞれ別の発光色で点灯させたときに、２個のＬＥＤの発光色が混ざり合って見えるという問題がある。例えば、近接して配置された２個のＬＥＤの一方が赤色の光を発し、他方のＬＥＤが青色の光を発した場合、ユーザには紫色の光を発しているように見える場合がある。
【０００６】
また、近接して配置された２個のＬＥＤを同一発光色で点灯させた場合には、１個のＬＥＤのみを点灯させたときとの差が無いように見えるという問題がある。その結果、複数のＬＥＤを使用するメリットがあまり無かった。
【０００７】
図１３は、携帯電話機におけるＬＥＤを用いた表示装置の一例を示す分解斜視図である。図１３に示されているように、携帯電話機におけるＬＥＤ表示部は、ＬＥＤ１，２と、ＬＥＤが発した光を導いて外部に反射させる導光部材（以下、レンズという）３と、ＬＥＤが配設されたプリント基板４と、筐体１０Ａとを含む。なお、配設とは、配置して設けることをいう。
【０００８】
まず、一般的なレンズ３について説明する。図１４は、図１３に示すＡ−Ａ面でレンズ３を切断した場合の断面を示す断面図である。レンズ３は、発光部３１〜３３と、８角錐状の切り込み部３４〜３６とを含む。
【０００９】
レンズ３は、一般的に細長い形状を有した透明材料で実現される。また、レンズ３における発光部３１〜３３は、それぞれ半球体形状の突出部であり、多面カットされている。レンズ３は、ＬＥＤ１，２が発した光を切り込み部３４〜３６と突出部３１〜３３とで反射する機能を有する。従って、図１３における筐体１０Ａを眺めるユーザには、発光部３１〜３３が発光しているように見える。
【００１０】
ＬＥＤ１およびＬＥＤ２は、側面発光型のＬＥＤで実現される。図１３に示すように、ＬＥＤ１およびＬＥＤ２は、プリント基板４上のレンズ３に対して、短手方向の両辺に合い向かいに配設される。
【００１１】
ＬＥＤ１およびＬＥＤ２は、レンズ３の短手方向における側面部分を照光する。すると、筐体１０Ａを眺めるユーザには、レンズ３上の３個の発光部３１〜３３が発光しているように見える。すなわち、ＬＥＤ１およびＬＥＤ２で発せられた光は、レンズ３上の３個の発光部３１〜３３に合わせて空けた筐体１０Ａの穴部１１〜１３から発せられる。
【００１２】
次に、ＬＥＤ表示部におけるＬＥＤの照射方向を説明する。図１５は、携帯電話機のＬＥＤ表示部におけるＬＥＤが発した光の進行方向を説明するための説明図である。
【００１３】
図１５に示されているように、図１３におけるＬＥＤの配置では、レンズ３に対して短手方向の両辺に合い向かいに近接配置したＬＥＤ１およびＬＥＤ２によって発せられた光がそれぞれ干渉する。そのため、筐体１０Ａを眺めるユーザには、ＬＥＤ１の発光とＬＥＤ２の発光とが混ざり合って見えてしまうという問題がある。
【００１４】
例えば、近接して配置されたＬＥＤ１およびＬＥＤ２をそれぞれ別の発光色で点灯させたときに、２個のＬＥＤの発光色が混ざり合って見える。より具体的には、図１５において、ＬＥＤ１が赤色の光を発し、ＬＥＤ２が青色の光を発した場合、ユーザには発光部３１〜３３が紫色の光が発しているように見える。
【００１５】
また、近接して配置された２個のＬＥＤを同一発光色で点灯させた場合には、１個のＬＥＤのみを点灯させたときとの差が無いように見える。具体的には、ＬＥＤ１およびＬＥＤ２の両方が発光した場合でも、またはＬＥＤ１のみが発光した場合でも、どちらの場合でもレンズ３の発光部３１〜３３が発光しているように見える。したがって、筐体１０Ａを眺めるユーザには、ＬＥＤ１およびＬＥＤ２が発光したときと、ＬＥＤ１のみが発光したときとの差がないように見える。よって、２個のＬＥＤ１およびＬＥＤ２が設けられていても、それらを効果的に使用しているとはいい難い。
【００１６】
そこで、本発明は、複数のＬＥＤを点灯させたときに、それぞれのＬＥＤが発した光を混ざりにくくして、複数のＬＥＤを効果的に使用できる発光ダイオード表示装置および携帯端末装置を提供することを目的とする。
【課題を解決するための手段】
【００１７】
本発明による発光ダイオード表示装置は、複数の発光ダイオードと、複数の発光ダイオードのそれぞれが発した光を導光する導光手段とを有し、発光面が導光手段に向けられ、かつ、発した光がそれぞれ交わらないように複数の発光ダイオードのそれぞれが配置され、導光手段の１つの面に複数の出射部が設けられていることを特徴とする。
【００１８】
本発明による発光ダイオード表示装置は、複数の発光ダイオードのうちの第１の発光ダイオードおよび第２の発光ダイオードは、第１の発光ダイオードが導光手段に対して発した光の進行方向と第２の発光ダイオードが導光手段に対して発した光の進行方向とが反対になり、かつ、それぞれの発光ダイオードが発した光の中心軸が略平行となるように配置されていることが好ましい。
【００１９】
本発明による発光ダイオード表示装置は、複数の発光ダイオードのうちの第１の発光ダイオードおよび第２の発光ダイオードは、第１の発光ダイオードが導光手段に対して発した光の進行方向と第２の発光ダイオードが導光手段に対して発した光の進行方向とが同じになり、かつ、それぞれの発光ダイオードが発した光の中心軸が略平行となるように配置されていてもよい。
【００２０】
本発明による発光ダイオード表示装置は、複数の発光ダイオードのうちの第１の発光ダイオードおよび第２の発光ダイオードは、第１の発光ダイオードが導光手段に対して発した光の進行方向と第２の発光ダイオードが導光手段に対して発した光の進行方向とが反対になり、かつ、それぞれの発光ダイオードが発した光の中心軸と導光手段における光の入射面の垂直軸とは傾斜を有し、かつ、それぞれの発光ダイオードが発した光の中心軸が互いに交わらないように配置されていてもよい。
【００２１】
また、本発明による発光ダイオード表示装置は、複数の発光ダイオードのうちの第１の発光ダイオードの発光を開始させてから所定時間経過後に第２の発光ダイオードの発光を開始させる制御を行い、第１の発光ダイオードの発光を停止させる制御を開始してから所定時間経過後に第２の発光ダイオードの発光を停止させる制御を開始する制御手段を備えていることが好ましい。
【００２２】
また、本発明による発光ダイオード表示装置の制御手段は、第１の発光ダイオードおよび第２の発光ダイオードを、発光を開始させるときに時間経過に伴って最大明度に向かって明度変化するように制御し、発光を停止させるときに最大明度から時間経過に伴って消灯時の明度に向かって明度変化するように制御してもよい。
【００２３】
また、本発明による発光ダイオード表示装置の制御手段は、第１の発光ダイオードおよび第２の発光ダイオードを、発光を開始させるときに最大明度になるように制御し、発光を停止させるときに消灯時の明度になるように制御してもよい。
【００２４】
本発明による携帯端末装置は、複数の発光ダイオードと、複数の発光ダイオードのそれぞれが発した光を導光する導光手段とを有し、発光面が導光手段に向けられ、かつ、発した光がそれぞれ交わらないように複数の発光ダイオードのそれぞれが配置され、導光手段の１つの面に複数の出射部が設けられている発光ダイオード表示装置と、複数の発光ダイオードのうちの第１の発光ダイオードの発光を開始させてから所定時間経過後に第２の発光ダイオードの発光を開始させる制御を行い、第１の発光ダイオードの発光を停止させる制御を開始してから所定時間経過後に第２の発光ダイオードの発光を停止させる制御を開始する制御手段とを備えたことを特徴とする。
【００２５】
また、本発明による携帯端末装置の制御手段は、第１の発光ダイオードおよび第２の発光ダイオードを、発光を開始させるときに時間経過に伴って最大明度に向かって明度変化するように制御し、発光を停止させるときに最大明度から時間経過に伴って消灯時の明度に向かって明度変化するように制御してもよい。
【００２６】
また、本発明による携帯端末装置の制御手段は、第１の発光ダイオードおよび第２の発光ダイオードを、発光を開始させるときに最大明度になるように制御し、発光を停止させるときに消灯時の明度になるように制御してもよい。
【発明の効果】
【００２７】
本発明によれば、近接して配置された複数のＬＥＤをそれぞれ独立に点灯させたときに、それぞれのＬＥＤの照光が混ざり難い発光ダイオード表示装置、および発光ダイオード表示装置を備えた携帯端末装置を提供することができる。
【発明を実施するための最良の形態】
【００２８】
実施の形態１．
以下、本発明の実施の形態を図面を参照して説明する。図１は、本発明による発光ダイオード表示装置（以下、ＬＥＤ表示装置という。）を備えた携帯端末装置の一例を示した斜視図である。図１に示すように、本実施の形態では、携帯端末装置が折畳式携帯電話機１００（以下、単に携帯電話機１００という。）である場合を例に説明する。また、図１（ａ）は、携帯電話機１００を開いた状態で操作部側から見た斜視図に相当し、図１（ｂ）は、携帯電話機１００を開いた状態で操作部側と反対の方向から見た背面図に相当する。なお、携帯端末装置は、携帯電話機に限らず、例えばＰＤＡやＰＨＳ等の携帯端末装置であってもよい。
【００２９】
図１に示すように、携帯電話機１００は、表示部２０を含む表示部側筐体１０と、複数のキーボタンを有する操作部４０を含む操作部側筐体３０とを含む。表示部側筐体１０および操作部側筐体３０は、例えば合成樹脂等を用いた剛性体によって実現される。また、表示部側筐体１０と操作部側筐体３０とは、開閉軸を有するヒンジ部５０で回動可能に接続されている。なお、「回動」とは、ある軸に対して正逆方向に円運動できることをいう。携帯電話機１００は、ヒンジ部５０を軸として、例えば表示部側筐体１０を操作部側筐体３０の側に閉じたり、開いたりすることができる。
【００３０】
また、表示部側筐体１０は、表示部２０が含まれる側の面と対向する側の面にＬＥＤ表示部６０を備える。携帯電話機１００は、ＬＥＤ表示部（発光ダイオード表示装置）６０によって音声着信等をユーザに通知する機能を有する。
【００３１】
図２は、携帯電話機１００の一構成例を示したブロック図である。図２に示すように、携帯電話機１００は、電波の送受信を行うアンテナ１１０と、制御部１２０と、記憶部１３０と、無線通信部１４０と、操作部４０と、表示部２０と、カメラユニット（以下、「カメラ」という）１５０と、ＬＥＤ１，２と、音声出力用のスピーカ１６０と、音声入力用のマイクロフォン１７０とを備えている。なお、図１には、カメラユニット１５０の一部のみが示されている。また、ＬＥＤ１，２は、表示部側筐体１０の内部において、ＬＥＤ表示部６０の一部として設けられている。
【００３２】
制御部１２０は、例えばＣＰＵと図示しない周辺回路とで実現される。制御部１２０は、携帯電話機１００が備える各部の制御を行う機能を有する。例えば、制御部１２０は、記憶部１３０に格納されているプログラムに従ってＬＥＤ１，２の動作を制御する。
【００３３】
記憶部１３０は、例えばＲＡＭ等の記憶媒体によって実現され、制御部１２０が実行する制御プログラム等の各種のデータを格納する。なお、記憶部１３０の一部がＲＯＭによって実現されていてもよく、ＲＯＭ部分に制御プログラムが格納されていてもよい。
【００３４】
無線通信部１４０は、信号の変復調を行う機能を有する。具体的には、無線通信部１４０は、無線信号を、アンテナ１１０を介して受信して復調する処理を行う。また、無線通信部１４０は、制御部１２０から出力された信号を変調し、アンテナ１１０を介して無線信号を送信する処理を行う。
【００３５】
操作部４０は、例えば電話番号の入力等を行うためのキーボタンによって実現される。操作部４０は、ユーザの操作に応じた入力信号を制御部１２０に出力する機能を有する。
【００３６】
表示部２０は、例えば液晶表示装置によって実現され、携帯電話機１００の折畳時に筐体の内側となる位置に配設される。表示部２０には、例えば待ち受け画面や機能設定画面が表示される。
【００３７】
カメラ１５０は、例えばディジタルカメラが備える各種の機能を有し、被写体を撮像するＣＣＤ等の撮像素子や、撮像によって得た画像データを制御部１２０に出力する回路等を備えている。
【００３８】
ＬＥＤ１，２は、後述するように側面発光型のＬＥＤで実現される。ＬＥＤ１，２は、単色ＬＥＤで実現されてもよいし、複数色を発光する多色ＬＥＤで実現されてもよい。ＬＥＤ１，２の動作は、制御部１２０によって制御される。
【００３９】
次に ＬＥＤ表示部６０の構造を説明する。図３は、ＬＥＤ表示部６０を示す分解斜視図である。図３に示されているように、ＬＥＤ表示部６０は、図１３に示されているＬＥＤ表示部と同じ構成要素を有する。なお、本実施の形態のＬＥＤ表示部６０では、ＬＥＤ１およびＬＥＤ２の配設位置が、図１３に示されているＬＥＤ表示部における配設位置とは異なる。
【００４０】
また、本実施の形態では、表示部側筐体１０の各面のうち、プリント基板４を表示部側筐体１０に取り付けた状態で、外側からＬＥＤの発光を視認できる側の面を表面といい、外側から視認できない側の面を裏面という。
【００４１】
なお、ＬＥＤ表示部６０は、プリント基板４上に対角に近接配置された側面発光型のＬＥＤ１およびＬＥＤ２と、ＬＥＤ１およびＬＥＤ２が発した光を３個の発光部に導く役割のレンズ（導光手段）３と、ＬＥＤ１およびＬＥＤ２を含むプリント基板４と、レンズ３上の３個の発光部３１〜３３に合わせて表示部側筐体１０に空けた穴部とを含む。
【００４２】
ＬＥＤ１とＬＥＤ２とは、それぞれの発光面が略直方体の形状を有するレンズ３の長辺に向けられ、かつ、それぞれのＬＥＤが発した光が交わらないように配置されている。ＬＥＤ１およびＬＥＤ２は、レンズ３における長辺の側面部分に対して発光する。
【００４３】
レンズ３は、ＬＥＤ１およびＬＥＤ２が側面部分に照射した光を３個の発光部３１〜３３から発光する機能を有する。つまり、レンズ３の構造は、図１４に示されているレンズ３の構造と同じである。レンズ３は、ＬＥＤ１，２が発した光を切り込み部３４〜３６と突出部（出射部）３１〜３３とで反射する機能を有する。
【００４４】
ＬＥＤ１およびＬＥＤ２が発した光は、レンズ３における３個の発光部３１〜３３に合わせて空けた表示部側筐体１０の穴部より発せられる。ユーザは、表示部側筐体１０における穴部の表面側から、ＬＥＤ１およびＬＥＤ２の光を視認できる
【００４５】
次に、本実施の形態のＬＥＤによる照射方向を説明する。図４は、本実施の形態のＬＥＤが発した光の進行方向を説明するための説明図である。
【００４６】
図４に示されているように、プリント基板４上に対角に近接配置されたＬＥＤ１およびＬＥＤ２は、レンズ３の長辺の側面部分に対して発光する。
【００４７】
なお、ＬＥＤ１およびＬＥＤ２は、それぞれ発した光の進行方向が反対になり、かつ、光の中心軸が略並行となるように配置されている。すなわち、ＬＥＤ１およびＬＥＤ２は、互いにレンズ３を挟んで光軸が一致しないようにずらせて配設されている。すると、ＬＥＤ１およびＬＥＤ２から発光された光は互いに干渉することなく、レンズ３の発光部３１〜３３から発光される。発光部より発光された光は、レンズ３上の３個の発光部３１〜３３に合わせて空けた表示部側筐体１０の穴部より照光され、ユーザに表面側から視認される
【００４８】
すなわち、レンズ３に対して対角に近接配置されたＬＥＤ１およびＬＥＤ２が発した光は、それぞれ干渉しにくくなる。したがって、本実施の形態の携帯端末装置は、近接して配置された２個のＬＥＤをそれぞれ点灯させたときに、照明が混ざり合うという問題を回避することができる。
【００４９】
次に、ＬＥＤ１およびＬＥＤ２の点灯タイミングを説明する。図５は、本実施の形態のＬＥＤ１およびＬＥＤ２の点灯タイミングを説明するための説明図である。ＬＥＤ１およびＬＥＤ２の点灯タイミングは、具体的には制御部１２０によって制御される。
【００５０】
図５に示されているように、まず、制御部１２０は、ＬＥＤ１の発光を開始させるときに、ＬＥＤ１をＡ色（例えば赤色）で徐々に明るくする。そして、制御部１２０は、ＬＥＤ１の発光開始時点（図５におけるＰの時点）からｔｄ時間遅れた時点でＬＥＤ２を発光開始させ、Ａ色で徐々に明るくする。その後、制御部１２０は、ＬＥＤ１の発光を停止させるときに、ＬＥＤ１のＡ色を徐々に暗くしていき、ＬＥＤ１の発光を停止させる制御を開始した時点（図５におけるＱの時点）からｔｄ時間遅れた時点でＬＥＤ２の発光を停止させる制御を開始する。制御部１２０は、ＬＥＤ２の発光を停止させるときに、ＬＥＤ２のＡ色を徐々に暗くしていく。
【００５１】
換言すれば、制御手段１２０は、ＬＥＤ１の発光を開始させてから所定時間経過後にＬＥＤ２の発光を開始させる制御を行い、ＬＥＤ１の発光を停止させる制御を開始してから所定時間経過後にＬＥＤ２の発光を停止させる制御を開始する。そして、ＬＥＤ１およびＬＥＤ２を、発光を開始させるときに時間経過に伴って最大明度に向かって明度変化するように制御し、発光を停止させるときに最大明度から時間経過に伴って消灯時の明度に向かって明度変化するように制御する。
【００５２】
そのように制御することにより、表示部側筐体１０の表面側から視認するユーザには、レンズ３の表面においてＬＥＤ１の設置位置に相当する箇所からＬＥＤ２の設置位置に相当する箇所に照明が流れるように視認される。なお、制御部１２０は、ＬＥＤ１，２に流れる電流量を制御することによって、ＬＥＤ１，２の明度を変化させる。また、最大明度は、ＬＥＤ１，２が実現しうる明度範囲内で、あらかじめ決められている明度である。
【００５３】
上記のように、ＬＥＤ１の点灯および遅延させたＬＥＤ２の点灯を１サイクルとし、制御部１２０は、毎サイクルＡ色のみというように同色のみを点灯させてもよいが、制御部１２０は、例えば１サイクル目はＡ色、２サイクル目はＢ色（例えば緑色）と、１サイクル毎に発色を変化させていくように制御してもよい。そのように制御する場合には、表示部側筐体１０の表面側から視認するユーザには、レンズ３の表面においてＬＥＤ１の設置位置に相当する箇所からＬＥＤ２の設置位置に相当する箇所に発光色が変化しながら照明が流れるように視認される。なお、そのような制御を行う場合には、ＬＥＤ１，２として互いに異なる発色を行うＬＥＤを用いるか、または、ＬＥＤ１，２として多色ＬＥＤを用いる。
【００５４】
以上のように、表示部側筐体１０上のＬＥＤ表示部６０は、ＬＥＤ１およびＬＥＤ２の照明が干渉しにくいようになっている。したがって、ＬＥＤ表示部６０では、近接配置された２個のＬＥＤを点灯させたときに照明が混ざり合うという問題を回避することができる。その結果、制御部１２０がＬＥＤ１およびＬＥＤ２の点灯タイミングを制御することによって、照明が混ざることなく、表示部側筐体１０の表面側から視認するユーザに、ＬＥＤ１およびＬＥＤ２が発した光が流れるように点灯していると視認させることができる。
【００５５】
なお、本実施の形態では、ＬＥＤ１およびＬＥＤ２を図３および図４に示されているように配設したが、ＬＥＤ１およびＬＥＤ２は、例えば図６および図７に示されているように、図３および図４に示された対角とは異なる対角に配設されてもよい。そのような構成によっても、表示部側筐体１０上のＬＥＤ表示部６０において、近接配置された２個のＬＥＤの照明が混ざり合うという問題を回避できる。
【００５６】
実施の形態２．
次に、第２の実施の形態を図面を参照して説明する。図８は、本実施の形態におけるＬＥＤ表示部６０を示す分解斜視図である。図８に示されているように、本実施の形態のＬＥＤ１およびＬＥＤ２は、レンズ３を挟んで互い反対側に配設され、さらに、ＬＥＤ１およびＬＥＤ２が発した光の進行方向が、互いに相反する向きになるように配設される。すなわち、ＬＥＤ１がレンズ３に対して発した光の進行方向とＬＥＤ２がレンズ３に対して発した光の進行方向とが反対になり、かつ、それぞれのＬＥＤが発した光の中心軸とレンズ３における光の入射面の垂直軸とは傾斜を有し、かつ、それぞれの発光ダイオードが発した光の中心軸が互いに交わらないように配置されている。
【００５７】
図９は、第２の実施の形態におけるＬＥＤが発した光の進行方向を説明するための説明図である。図９に示されているように、本実施の形態のＬＥＤ１およびＬＥＤ２が発した光は互いに干渉することなく、レンズ３の発光部３１〜３３で反射される。
【００５８】
例えば、図９におけるＬＥＤの配置では、ＬＥＤ１が発した光は主に発光部３１で反射し、ＬＥＤ２が発した光は主に発光部３３で反射する。そして、発光部で反射した光は、レンズ３上の３個の発光部に合わせて空けた表示部側筐体１０の穴部より発せられ、表示部側筐体１０の表面側からユーザに視認される
【００５９】
以上のように、本実施の形態では、ＬＥＤ１およびＬＥＤ２は、レンズ３に対して長辺方向において対角に近接配置され、さらに、光の進行方向が互いに相反する方向を向くように配設される。そのような配置によって、ＬＥＤ表示部６０は、ＬＥＤ１およびＬＥＤ２が発した光をそれぞれ干渉しにくくすることができる。
【００６０】
実施の形態３．
次に、第３の実施の形態について図面を参照して説明する。図１０は、第３の実施の形態におけるＬＥＤ表示部を示す分解斜視図である。図１０に示されているように、ＬＥＤ１およびＬＥＤ２は、レンズ３における長辺の側面部に対して同一方向に隣り合うように配設される。すなわち、ＬＥＤ１がレンズ３に対して発した光の進行方向とＬＥＤ２がレンズ３に対して発した光の進行方向とが同じになり、かつ、それぞれのＬＥＤが発した光の中心軸が略平行となるように配置されている。
【００６１】
図１１は、第３の実施の形態におけるＬＥＤが発した光の進行方向を説明するための説明図である。図１１に示されているように、ＬＥＤ１およびＬＥＤ２が発した光の進行方向は同一である。さらに、ＬＥＤ１およびＬＥＤ２が発した光の中心軸は略平行になっている。したがって、ＬＥＤ１およびＬＥＤ２が発した光はレンズ３で干渉することはほとんどなく、レンズ３の発光部で反射される。そして、発光部より発せられた光は、レンズ３上の３個の発光部に合わせて空けた表示部側筐体１０の穴部より発せられ、表示部側筐体１０の表面側からユーザに視認される
【００６２】
以上のように、ＬＥＤ１およびＬＥＤ２がレンズ３における長辺の側面部に対して同一方向に隣り合うようにして配設された場合にも、ＬＥＤ１およびＬＥＤ２が発した光は、それぞれ干渉しにくくなる。
【００６３】
実施の形態４．
次に、第４の実施の形態を図面を参照して説明する。本実施の形態におけるＬＥＤ１およびＬＥＤ２の配置は、上述した第１〜３の実施の形態における配置のうちのいずれであってもよい。本実施の形態では、制御部１２０によるＬＥＤ１およびＬＥＤ２の制御方法が第１の実施の形態における制御方法と異なる。
【００６４】
図１２は、制御部１２０によるＬＥＤ１およびＬＥＤ２の制御方法を説明するための説明図である。図１２に示されているように、制御部１２０は、ＬＥＤ１およびＬＥＤ２の点灯タイミングを制御する。本実施の形態では、図５に示された第１の実施の形態とは異なり、ＬＥＤ１およびＬＥＤ２が発する光の強弱を急激に変化させる。すなわち、制御部１２０は、ＬＥＤ１とＬＥＤ２とを徐々に明るくまたは徐々に暗くするのではなく、急激に明るくまたは暗くする。
【００６５】
制御部１２０は、まずＬＥＤ１をＡ色で明るくする。そして、制御部１２０は、ＬＥＤ２を、ＬＥＤ１の発光開始時点（図１２におけるＰの時点）からｔｄ時間遅延させてＡ色で明るくする。その際、制御部１２０は、ＬＥＤ１およびＬＥＤ２を急激に明るくする。その後、制御部１２０は、ＬＥＤ１の発光を停止させる制御を開始する時点（図１２におけるＱの時点）でＬＥＤ１のＡ色を暗くし、次いでＬＥＤ２のＡ色をＬＥＤ１の発光を停止させる制御を開始した時点（図１２におけるＱの時点）からｔｄ時間遅延させて暗くする。
【００６６】
換言すれば、制御手段１２０は、ＬＥＤ１の発光を開始させてから所定時間経過後にＬＥＤ２の発光を開始させる制御を行い、ＬＥＤ１の発光を停止させる制御を開始してから所定時間経過後にＬＥＤ２の発光を停止させる制御を開始する。そして、ＬＥＤ１およびＬＥＤ２を、発光を開始させるときに最大明度になるように制御し、発光を停止させるときに消灯時の明度（明度０）になるように制御する。そのように制御する場合にも、ユーザには、レンズ３の表面においてＬＥＤ１の設置位置に相当する箇所からＬＥＤ２の設置位置に相当する箇所に照明が流れるように視認される。
【００６７】
制御部１２０は、ＬＥＤ１の点灯および遅延させたＬＥＤ２の点灯を１サイクルとし、毎サイクルＡ色のみというように同色のみを点灯させてもよいが、図１２に示すように、例えば１サイクル目はＡ色、２サイクル目はＢ色と、１サイクル毎に発色を変化させていくように制御してもよい。そのように制御する場合には、表示部側筐体１０の表面側から視認するユーザには、レンズ３の表面においてＬＥＤ１の設置位置に相当する箇所からＬＥＤ２の設置位置に相当する箇所に発光色が変化しながら照明が流れるように視認される。
【００６８】
以上のように、制御部１２０がＬＥＤ１およびＬＥＤ２の点灯タイミングを制御するため、表示部側筐体１０の表面側から視認するユーザに、ＬＥＤ１およびＬＥＤ２が発した光が流れるように点灯していると視認させることができる。
【００６９】
なお、第１〜第４の実施の形態では、レンズ３上の発光部を３個と限定して記載しているが、本発明によるＬＥＤ表示部は、例えば１個の発光部のみを備えていてもよい。また、例えば本発明によるＬＥＤ表示部は、５個の発光部を備えていてもよい。その場合でも、ＬＥＤ表示部６０は、第１〜第４の実施の形態と同様の効果を得ることができる。
【産業上の利用可能性】
【００７０】
本発明は、ＬＥＤを用いて装飾や報知を行う装置に適用される。
【図面の簡単な説明】
【００７１】
【図１】ＬＥＤ表示装置を備えた携帯端末装置の一例を示した斜視図である。
【図２】携帯電話機の一構成例を示したブロック図である。
【図３】ＬＥＤ表示部を示す分解斜視図である。
【図４】第１の実施の形態におけるＬＥＤが発した光の進行方向を説明するための説明図である。
【図５】第１の実施の形態におけるＬＥＤ１およびＬＥＤ２の点灯タイミングを説明するための説明図である。
【図６】第１の実施の形態における他の態様のＬＥＤ表示部を示す分解斜視図である。
【図７】第１の実施の形態における他の態様のＬＥＤが発した光の進行方向を説明するための説明図である。
【図８】第２の実施の形態におけるＬＥＤ表示部を示す分解斜視図である。
【図９】第２の実施の形態におけるＬＥＤが発した光の進行方向を説明するための説明図である。
【図１０】第３の実施の形態におけるＬＥＤ表示部を示す分解斜視図である。
【図１１】第３の実施の形態におけるＬＥＤが発した光の進行方向を説明するための説明図である。
【図１２】制御部１２０によるＬＥＤ１およびＬＥＤ２の制御方法を説明するための説明図である。
【図１３】携帯電話機におけるＬＥＤを用いた表示装置の一例を示す分解斜視図である。
【図１４】図１３に示すＡ−Ａ面でレンズ３を切断した場合の断面を示す断面図である。
【図１５】携帯電話機のＬＥＤ表示部におけるＬＥＤが発した光の進行方向を説明するための説明図である。
【符号の説明】
【００７２】
１、２、  発光ダイオード（ＬＥＤ）
３  レンズ
４  プリント基板
１０  表示部側筐体
２０  表示部
３０  操作部側筐体
３１〜３３  発光部
３４〜３６  切り込み部
４０  操作部
５０  ヒンジ部
６０  ＬＥＤ表示部
１００  折畳式携帯電話機
１１０  アンテナ
１２０  制御部
１３０  記憶部
１４０  無線通信部
１５０  カメラユニット
１６０  スピーカ
１７０  マイクロフォン
【図１】
2008124311.tif 000003
【図２】
2008124311.tif 000004
【図３】
2008124311.tif 000005
【図４】
2008124311.tif 000006
【図５】
2008124311.tif 000007
【図６】
2008124311.tif 000008
【図７】
2008124311.tif 000009
【図８】
2008124311.tif 000010
【図９】
2008124311.tif 000011
【図１０】
2008124311.tif 000012
【図１１】
2008124311.tif 000013
【図１２】
2008124311.tif 000014
【図１３】
2008124311.tif 000015
【図１４】
2008124311.tif 000016
【図１５】
2008124311.tif 000017